(57)【特許請求の範囲】
【請求項１】
観察する側から、
第１の部分と第２の部分とが周期的に繰り返されたパターンを有する偏光層と、
画像が形成された画像形成層と
を順に備え、
前記第１の部分は、観察する側に向かって特定の第１の偏光状態の光を選択的に透過し、
前記第２の部分は、観察する側に向かって前記特定の第１の偏光状態とは異なる特定の第２の偏光状態の光を選択的に透過する光学特性を有し、
前記画像形成層は、前記第１の部分に対応した複数の第１の領域と前記第２の部分に対応した複数の第２の領域とを有し、
前記複数の第１の領域により一方の目用の画像が構成され、
前記複数の第２の領域により他方の目用の画像が構成され、
前記一方の目用の画像と前記他方の目用の画像とがホログラム像であり、
前記ホログラム像は、見る角度に応じて複数が用意されており、
ある視点からのホログラム像が見えるような角度に設定した状態において、その他の視点からのホログラム像が観察者の位置で結像しないことを特徴とする識別媒体。
【請求項２】
前記第１の部分は、観察する側に向かって第１の旋回方向の円偏光を選択的に透過する光学特性を有し、
前記第２の部分は、観察する側に向かって前記第１の旋回方向と逆旋回方向の第２の旋回方向の円偏光を選択的に透過する光学特性を有していることを特徴とする請求項１に記載の識別媒体。
【請求項３】
前記第１の部分は、観察する側に向かって第１の方向に偏光した第１の直線偏光を選択的に透過する光学特性を有し、
前記第２の部分は、観察する側に向かって前記第１の方向と直交する方向に偏光した第２の直線偏光を選択的に透過する光学特性を有していることを特徴とする請求項１に記載の識別媒体。
【請求項４】
特定の光が照射されることで蛍光する蛍光層を更に備えることを特徴とする請求項１〜３のいずれか一項に記載の識別媒体。
【請求項５】
前記蛍光層は蛍光図柄層であり、
前記蛍光図柄層は、前記第１の部分に対応した位置に右目用蛍光像領域が設けられ、前記第２の部分に対応した位置に左目用蛍光像領域が設けられていることを特徴とする請求項４に記載の識別媒体。
【請求項６】
請求項１〜５のいずれか一項に記載の識別媒体を前記第１の偏光状態の光を選択的に透過する光学フィルタを介して一方の目で観察すると共に前記第２の偏光状態の光を選択的に透過する光学フィルタを介して他方の目で観察することを特徴とする識別媒体の識別方法。
【発明の詳細な説明】
【技術分野】
【０００１】
本発明は、識別媒体およびその識別方法に関する。
【背景技術】
【０００２】
商品等の真贋判定に利用される識別媒体において、立体像を識別に利用する技術が知られている。例えば、特許文献１には、偏光方向の異なる２つの図柄に視差を与え、方向の異なる偏光めがねを介して観察することで、立体像を見ることができる識別媒体が記載されている。引用文献２には、ホログラムを利用して立体像を表示する識別媒体が記載されている。引用文献３には、左右で異なる円偏光を反射するコレステリック液晶層を積層し、それぞれのコレステリック液晶層のパターンを左目用と右目用とする識別媒体が記載されている。
【先行技術文献】
【特許文献】
【０００３】
【特許文献１】特開２００８−８０６９７号公報
【特許文献２】特開平５−２１４８号公報
【特許文献３】特開２０００−２５５２００号公報
【発明の開示】
【発明が解決しようとする課題】
【０００４】
特許文献１に記載された技術は、顔を傾けると画像の分離が不完全になり見え方が明確でなくなり、識別機能の点で充分でない。特許文献２に記載された技術は、ホログラムにより左右の像を形成する構成であるので、ホログラムを物理的にコピーすることによる偽造が容易であり、耐偽造性が低い。また左右の画像を完全に分離できず、見え方が不明確となる。特許文献３に記載された技術は、コレステリック液晶層が２層必要であるので、構造が複雑で高コストとなる。
【０００５】
このような背景において、本発明は、高い識別機能および高い耐偽造性を有し、更に低コストで得られる識別媒体を提供することを目的とする。
【課題を解決するための手段】
【０００６】
請求項１に記載の発明は、観察する側から、第１の部分と第２の部分とが周期的に繰り返されたパターンを有する偏光層と、画像が形成された画像形成層とを順に備え、前記第１の部分は、観察する側に向かって特定の第１の偏光状態の光を選択的に透過し、前記第２の部分は、観察する側に向かって前記特定の第１の偏光状態とは異なる特定の第２の偏光状態の光を選択的に透過する光学特性を有し、前記画像形成層は、前記第１の部分に対応した複数の第１の領域と前記第２の部分に対応した複数の第２の領域とを有し、前記複数の第１の領域により一方の目用の画像が構成され、前記複数の第２の領域により他方の目用の画像が構成され、前記一方の目用の画像と前記他方の目用の画像とがホログラム像であり、前記ホログラム像は、見る角度に応じて複数が用意されており、ある視点からのホログラム像が見えるような角度に設定した状態において、その他の視点からのホログラム像が観察者の位置で結像しないことを特徴とする識別媒体である。
【０００７】
請求項１に記載の発明によれば、画像形成層の第１の領域からの一方の目用の画像の反射光が、偏光層の第１の部分を特定の第１の偏光状態の光として透過し、それが観察者に届く。一方、画像形成層の第２の領域からの他方の目用の画像の反射光が、偏光層の第２の部分を特定の第２の偏光状態の光として透過し、それが観察者に届く。
【０００８】
ここで、観察者の側において、一方の目の前に第１の偏光状態の光を選択的に透過する光学フィルタを配置し、他方の目の前に第２の偏光状態の光を選択的に透過する光学フィルタを配置した状態で当該識別媒体を観察すると、一方の目が第１の領域を選択的に視認し、他方の目が第２の領域を選択的に視認する。
【０００９】
第１の領域は一方の目用の画像を構成し、第２の領域は他方の目用の画像を構成しているので、上記の作用の結果、一方の目がその目用の画像を選択的に視認し、他方の目がその目用の画像を選択的に視認する。これにより、立体画像の視認が行われる。つまり、右目が右目用の画像を選択的に視認し、左目が左目用の画像を選択的に視認し、それにより立体画像が認識される。請求項１に記載の発明において、見る角度は、当該識別媒体の光軸と視線のなす角度として定義される。請求項１に記載の発明では、複数の見る角度に応じて、異なる干渉像が得られるように画像形成層にホログラム加工が施される。これにより、見る角度を変えると、異なるホログラム像が観察される。ここで、見る角度毎に用意されたホログラム像を立体物の異なる視点からの像に対応させることで、見る角度を変えた際に視点を変えて立体物を見た場合と同様の観察像が得られる。なお、見る角度を変えた際に、異なる像への切り替わり（例えば、立体視される文字画像の切り替わり）を行うこともできる。
【００１０】
請求項２に記載の発明は、請求項１に記載の発明において、前記第１の部分は、観察する側に向かって第１の旋回方向の円偏光を選択的に透過する光学特性を有し、前記第２の部分は、観察する側に向かって前記第１の旋回方向と逆旋回方向の第２の旋回方向の円偏光を選択的に透過する光学特性を有していることを特徴とする。
【００１１】
請求項２に記載の発明では、例えば右目の前に右円偏光（右旋回の円偏光）を選択的に透過する光学フィルタ（右円偏光フィルタ）を配置し、左目の目に左円偏光（左旋回の円偏光）を選択的に透過する光学フィルタ（左円偏光フィルタ）を配置した状態で当該識別媒体を観察する。この場合、右目が右円偏光を選択的に視認し、左目が左円偏光を選択的に視認するので、例えば右目が第１の領域を選択的に視認し、左目が第２の領域を選択的に視認し、立体画像が観察される。なお、右円偏光に右目用の画像を割り当て、左円偏光に左目用の画像を割り当てる第１の組み合わせと、右円偏光に左目用の画像を割り当て、左円偏光に右目用の画像を割り当てる第２の組み合わせのいずれもが可能である。
【００１２】
請求項３に記載の発明は、請求項１に記載の発明において、前記第１の部分は、観察する側に向かって第１の方向に偏光した第１の直線偏光を選択的に透過する光学特性を有し、前記第２の部分は、観察する側に向かって前記第１の方向と直交する方向に偏光した第２の直線偏光を選択的に透過する光学特性を有していることを特徴とする。
【００１３】
請求項３に記載の発明では、例えば右目の前に第１の直線偏光を選択的に透過する直線偏光フィルタを配置し、左目の前に第１の直線偏光と直交する方向に偏光した第２の直線偏光を選択的に透過する直線偏光フィルタを配置した状態で当該識別媒体を観察する。この場合、例えば右目が第１の直線偏光を選択的に視認し、左目が第２の直線偏光を選択的に視認するので、右目が第１の領域を選択的に視認し、左目が第２の領域を選択的に視認し、立画画像が観察される。
【００１６】
請求項４に記載の発明は、請求項１〜３のいずれか一項に記載の発明において、特定の光が照射されることで蛍光する蛍光層を更に備えることを特徴とする。請求項４に記載の発明によれば、特定波長が当たる環境下において、蛍光色に着色された立体画像を観察することができる。
【００１７】
請求項５に記載の発明は、請求項４に記載の発明において、前記蛍光層は蛍光図柄層であり、前記蛍光図柄層は、前記第１の部分に対応した位置に右目用蛍光像領域が設けられ、前記第２の部分に対応した位置に左目用蛍光像領域が設けられていることを特徴とする。請求項５に記載の発明によれば、特定波長が当たる環境下において、蛍光色に着色された立体画像を観察することができる。
【００１８】
請求項６に記載の発明は、請求項１〜５のいずれか一項に記載の識別媒体を前記第１の偏光状態の光を選択的に透過する光学フィルタを介して一方の目で観察すると共に前記第２の偏光状態の光を選択的に透過する光学フィルタを介して他方の目で観察することを特徴とする識別媒体の識別方法である。
【発明の効果】
【００１９】
請求項１に記載の発明によれば、偏光状態の違いを利用して左右の画像が分離され、更に、繰り返しパターンにより左右の像を形成するので、視覚効果に優れた高い識別機能が得られる。また、左右の画像の位置合わせにノウハウが必要であるので、立体画像の再現が困難であり、高い耐偽造性が得られる。また、左右の画像は、一つの層に形成されるので、構成が簡素化され低コストで得ることができる。また、請求項１に記載の発明によれば、ホログラム像を利用することで、見る角度を変えた場合に視点を変えて立体物の観察を行った場合と同様の観察が行える光学機能が得られる。
【００２０】
請求項２に記載の発明によれば、左右の円偏光を利用して左右の像を分離するので、鮮明な立体画像を観察することができる。
【００２１】
請求項３に記載の発明によれば、直交する直線偏光を利用して左右の像を分離するので、鮮明な立体画像を観察することができる。
【００２３】
請求項４に記載の発明によれば、紫外光等の特定の波長の光が当たる環境下において、立体画像が着色して見える光学効果が得られる。
【００２４】
請求項５に記載の発明によれば、紫外光等の特定の波長の光を当たる環境下において、立体像が着色して見える光学効果が得られる。
【００２５】
請求項６に記載の発明によれば、請求項１〜５のいずれか一項に記載の識別媒体を利用した立体画像による識別の方法が提供される。
【図面の簡単な説明】
【００２６】
【図１】実施形態の断面概念図である。
【図２】実施形態の偏光層の断面概念図（Ａ）と正面概念図（Ｂ）である。
【図３】実施形態の画像形成層の正面概念図である。
【図４】実施形態の識別媒体の光学機能の原理を示す原理図である。
【図５】実施形態における観察される立体像を示す概念図である。
【図６】実施形態の断面概念図である。
【図７】実施形態の断面概念図である。
【図８】実施形態の断面概念図である。
【図９】実施形態の断面概念図である。
【図１０】実施形態の識別媒体の光学機能の原理を示す原理図である。
【図１１】実施形態の断面概念図である。
【図１２】実施形態における観察される立体像と視点の位置関係を示す概念図である。
【図１３】実施形態における観察される立体像を示す概念図である。
【図１４】実施形態の識別媒体の光学機能の原理を示す原理図である。
【発明を実施するための形態】
【００２７】
（１）第１の実施形態
図１には、識別媒体１００が示されている。識別媒体１００は、観察する側（図の上側）から、偏光層１０１、画像形成層１０２、アルミ蒸着層１０３、粘着層１０４と積層された構造とされている。偏光層１０１は、第１の部分１１１と第２の部分１１２とが周期的に繰り返されたパターンを有している。
【００２８】
図２には、偏光層１０１の断面図（Ａ）と正面図（Ｂ）が示されている。図２（Ａ）には、偏光層１０１が観察する側からλ／４板１２１、直線偏光層１２２と順に積層された構造であることが概念的に示されている。図２（Ｂ）には、透明なλ／４板１２１を介して、第１の部分１１１と第２の部分１１２が見えている状態が概念的に示されている。
【００２９】
直線偏光層１２２は、観察面側に向かって（図の上方向に向かって）右旋回の円偏光（右円偏光）偏光を選択的に透過する第１の部分１１１と、観察面側に向かって左旋回の円偏光（左円偏光）偏光を選択的に透過する第２の部分１１２が繰り返し交互に配置されたストライプ状のパターン構造を有している。ここで、第１の部分１１１、第２の部分１１２の幅は、０．０５ｍｍとされている。この幅は、０．１ｍｍ以下が望ましい。
【００３０】
第１の部分１１１に対応する直線偏光層１２２の領域は、第１の直線偏光領域１２３とされている。また、第２の部分１１２に対応する直線偏光層１２２の領域は、第２の直線偏光領域１２４とされている。また、第１の直線偏光領域１２３と第２の直線偏光領域１２４は、互いに偏光の方向が９０°異なる直線偏光を選択的に透過する直線偏光フィルタ特性の領域とされている。
【００３１】
この直線偏光層１２２の光学特性とλ／４板の光学特性が組み合わされることで、観察面側（図の上側）に透過する光で考えて、第１の部分１１１の縞状の領域が右円偏光を選択的に透過し、第２の部分１１２の縞状の領域が左円偏光を選択的に透過する光学特性領域となる。つまり、第１の部分１１１の縞状の領域が右円偏光を選択的に透過する右円偏光フィルタ特性の領域とされ、第２の部分１１２の縞状の領域が左円偏光を選択的に透過する左円偏光フィルタ特性の領域とされている。
【００３２】
以下、第１の部分１１１および第２の部分１１２を得る方法の一例を説明する。まず、光学異方性（屈性率異方性）を有した層を用意し、これをλ／４板１２１とする。λ／４板１２１は、例えば液晶材料により構成される。λ／４板１２１を得る方法としては、例えば後述する特開２００９−１７５２０８号公報に記載した技術を利用することができる。また、λ／４板１２１を得る方法として、ＰＣ（ポリカーボネート）樹脂などを延伸し、位相差を付加する方法が挙げられる。
【００３３】
次にλ／４板上に２色性色素を各領域で塗り分け、第１の直線偏光領域１２３および第２の直線偏光領域１２４を形成する。すなわち、ストライプ状のマスクを用意し、第２の直線偏光領域１２４となる部分をマスクした状態で第１の直線偏光領域１２３を２色性色素の印刷（あるいは刷毛塗り）により形成する。この際、色素の載せ方により、色素の配向方向が定まり、特定の偏光を透過する偏光フィルタとしての機能が付与された第１の直線偏光領域１２３が形成される。
【００３４】
次に、第１の直線偏光領域１２３をマスクした状態で、同じく第２の直線偏光領域１２４を形成する。この際、第１の直線偏光領域１２３を選択透過する直線偏光と偏光方向が９０°異なる向きとなるように、２色性色素の配向方向を調整する。こうして、第１の直線偏光領域１２３を選択透過する直線偏光と偏光方向が９０°異なる方向の直線偏光を選択的に透過する第２の直線偏光領域１２４を得る。なお、２色性色素の他に、リオトロピック液晶を利用して第１の直線偏光領域１２３と第２の直線偏光領域１２４を形成することもできる。
【００３５】
第１の直線偏光領域１２３および第２の直線偏光領域１２４を得る他の方法としては、直線偏光フィルタとして機能するフィルムを細く切断し、それを隣接する領域で偏光方向が９０°異なるように交互に配置する方法が挙げられる。また、光の照射で配向する方向を制御できる高分子材料の層にストライプ状に光照射を選択的に行い、第１の直線偏光領域１２３および第２の直線偏光領域１２４を得る方法もある。
【００３６】
また、偏光層１０１として、直線偏光板を基材として、その表面（観察される側の面の表面）に、ストライプ状に交互に遅相軸の向きが９０°異なるλ／４板パターンを有した層を配置した構造も可能である。この場合も観察面側に向かって右円偏光を選択的に透過する第１の部分１１１と、観察面側に向かって左円偏光を選択的に透過する第２の部分１１２が繰り返し交互に配置されたストライプ状のパターン構造が得られる。
【００３７】
以下、この場合の構成を得る方法の一例を説明する。この場合、まず特定の方向の直線偏光を選択的に透過するフィルム状の直線偏光板を用意する。そして、この直線偏光板を基材として、その上に光学異方性層を形成する。そしてこの光学異方性層に対してストライプ状に位相差状態（複屈折状態）を制御することで、ストライプ状に交互に第１の部分と第２の部分とが、遅相軸の向きが互いに９０°異なるλ／４板となるようにする。またこの際、直線偏光板と第１のλ／４板の部分とにより観察面側に向かって右円偏光を選択的に透過する第１の部分が構成され、直線偏光板と第２のλ／４板の部分とにより観察面側に向かって左円偏光を選択的に透過する第２の部分が構成されるように、各層の向きの関係を調整する。
【００３８】
向きが９０°異なるλ／４板パターンをストライプ状に形成する方法として、特開２００９−１７５２０８号公報に記載されている技術を利用できる。以下、この技術を利用した上記の向きが９０°異なるλ／４板部分をストライプ状に有した層について説明する。この層は、複屈折性を有する配向した高分子材料により構成され、光を当てると高分子の重合反応が生じ、配向状態が決まる材質のものを用いる。この層は、出発状態において、高分子は未反応の反応性基を有する。この層に対して、露光を行うと、未反応の反応性基が反応して高分子鎖の架橋が起こり、複屈折効果を示す層が形成される。この際、露光条件の異なる露光によって高分子鎖の架橋の程度が異なるものとなり、レターデーション値を制御できる。この原理により、露光の条件を調整することで、λ／４板となる光学機能層を形成することができる。
【００３９】
以下、向きが９０°異なるλ／４板パターンをストライプ状に有した層の製法の一例を説明する。まず、ストライプ状に配向方向が９０°異なる配向処理を施した直線偏光板を用意する。この配向処理は、例えばストライプ形状のマスクを利用して行われる。またこの際、直線偏光板と第１のλ／４板の部分とにより観察面側に向かって右円偏光を選択的に透過する第１の部分が構成され、直線偏光板と第２のλ／４板の部分とにより観察面側に向かって左円偏光を選択的に透過する第２の部分が構成されるように、直線偏光板の向きと配向処理の方向との関係を設定する。
【００４０】
そして、配向処理面上に少なくとも１つの反応性基を有する液晶性化合物を含む溶液を塗布し、更にそれを乾燥することで液晶相を形成する。そして、この液晶層に電離放射線を照射して重合固定化する。この際、電離放射線の照射条件を制御することで、位相差がλ／４となる屈折率異方性を付与する。ここで、この液晶層には、９０°異なる配向処理がストライプパターンで施されているので、遅相軸の向きが９０°異なる（つまり９０°回転させた関係の）λ／４板部分が交互にストライプ状に形成される。上記の屈折率異方性を付与した後、５０℃〜４００℃で加熱することで、上述した複屈折パターンが形成される。
【００４１】
光学異方性層の配向パターンを制御する方法として、下地に対する配向処理を選択的に行う方法の他に、光照射による重合固定化において、偏光照射による配向制御技術を利用し、上述した遅相軸の向きが９０°異なるλ／４板部分が交互にストライプ状に形成された状態を得ることもできる。
【００４２】
図１に戻り、偏光層１０１の下側（非観察面側）には、画像形成層１０２が配置されている。画像形成層１０２は、透明な樹脂の層にエンボス型の型押しによるホログラム加工を施した構成とされている。この例では、右目用のホログラム像を細切にしたホログラム１３１と左目用のホログラム像を細切にしたホログラム１３２が交互に繰り返し配置されたストライプ模様が画像形成層１０２に形成されている。右目用のホログラム１３１は、右目用のホログラム像を線状に分割したものを、間隔をおいて配置した構造とされている。左目用のホログラム１３２は、左目用のホログラム像を線状に分割したものを、間隔をおいて配置した構造とされている。
【００４３】
右目用のホログラム１３１と左目用のホログラム１３２を構成するストライプ状の領域は、偏光層１０１の第１の部分１１１（第１の直線偏光領域１２３）と第２の部分１１２（第２の直線偏光領域１２４）に対応させた位置関係とされている。この位置関係は、後述する視覚効果が発揮されるように調整されている。
【００４４】
図３には、画像形成層１０２を直視した場合が誇張して示されている。図３には、一例として、「Ｎ」という文字の立体画像を表示させる場合が誇張して示されている。この例では、画像形成層１０２の基材として、透明な樹脂のフィルムを用い、このフィルムにホログラム型を押し付けることで、ストライプパターンにより構成された右目用のホログラム１３１と左目用のホログラム１３２が形成されている。図３に誇張して示されているように、右目用のホログラム１３１と左目用のホログラム１３２とは、細く切断された複数のパターンにより構成され、両者が重ならないように、両目の視差に対応させて、左右に少しずらして配置されている。
【００４５】
図１に戻り、画像形成層１０２の下地側（非観察面側）には、観察面側に光を反射する光反射層として機能するアルミ蒸着層１０３が形成されている。アルミ蒸着層１０３は、画像形成層１０２を構成する樹脂フィルム上にアルミ薄膜を蒸着により設けることにより形成されている。アルミ蒸着層１０３の下面には、粘着材料により構成される粘着層１０４が設けられている。粘着層１０４の粘着性を利用して識別媒体１００が識別対象となる物品や部材に貼り付けられる。
【００４６】
なお、図示省略されているが、偏光層１０１の上側（観察面側）には、ＴＡＣ（トリアチルセルロース）等の透過光の偏光状態を乱さない材質の透明保護層が貼り付けられ、また粘着層１０４の露出面には、離型紙が貼り付けられている。使用時には、この離型紙を剥がして粘着層１０４を露出し、その露出面を被貼付面に接触させて識別媒体１００の被貼付面への固定が行われる。
【００４７】
（光学機能）
図１の識別媒体１００の高機能の一例を説明する。図４には、識別媒体１００の観察原理が概念的に示されている。識別媒体１００を観察する際は、右円偏光を観察者の側に向かって選択的に透過する右円偏光フィルタ１５３を右目１５１の前に置き、左円偏光を観察者の側に向かって選択的に透過する左円偏光フィルタ１５４を左目１５２の前に置く。
【００４８】
この状態で識別媒体１００を観察すると、第１の部分１１１からの右円偏光は、右円偏光フィルタ１５３を透過し、左円偏光フィルタ１５４で遮断されるので、第１の部分１１１の下の右目用のホログラム１３１が選択的に右目１５１で見える。一方、第２の部分１１２からの左円偏光は、左円偏光フィルタ１５４を透過し、右円偏光フィルタ１５３で遮断されるので、第２の部分１１２の下の左目用のホログラム１３２が選択的に左目１５２で見える。
【００４９】
左右のホログラムは、図３に示すように間隔をおいた複数の細長い領域から構成されているが、その間隔が狭いので、画像として認識され、更に左右ぞれぞれの画像（左右に少しずれた画像）が左右の目で独立に視認されることで、それが視覚中枢で合成されて立体虚像として認識される。
【００５０】
こうして、右目１５１で縞模様状の右目用のホログラム１３１を独立に視認し、左目１５２で縞模様状の左目用のホログラム１３２を独立に視認する。これにより、図５に概念的に示すような文字「Ｎ」の立体画像が虚像として認識される。
【００５１】
右円偏光フィルタ１５３と左円偏光フィルタ１５４を入れ替えると、左右の像が入れ替わる。この際、立体視する対象として、平面的な対象が採用されている場合、左右のフィルタを入れ替えると、それまで立体的に浮き出て見えていた像が逆に沈み込んで見え、あるいはそれまで沈み込んで見えていた像が浮き出て見える。また、立体視する対象が立体物である場合、立体像が結像せず、不鮮明な像が観察される。右円偏光フィルタ１５３と左円偏光フィルタ１５４を利用しないで、識別媒体１００を直視すると、右目用のホログラム１３１と左目用のホログラム１３２とが左右の目で同時に見えるので、立体の虚像が結像せず、２重にぶれた画像が観察される。
【００５２】
（優位性）
識別媒体１００は、観察する側から、第１の部分１１１と第２の部分１１２とが周期的に繰り返されたパターンを有する偏光層１０１と、画像が形成された画像形成層１０２とを順に備え、第１の部分１１１は、観察する側に向かって右円偏光を選択的に透過し、第２の部分１１２は、観察する側に向かって左円偏光を選択的に透過する。また、画像形成層１０２は、第１の部分１１１に対応した複数の細長い領域により構成される右目用のホログラム１３１と、第２の部分１１２に対応した複数の細長い部分により構成される左目用のホログラム１３２とを有している。
【００５３】
この構成によれば、左右の円偏光状態の違いを利用して左右の画像が分離され、更に、繰り返しパターンにより左右それぞれの像を形成するので、明確な立体感を伴った立体画像を観察できる。このため、視覚効果に優れた高い識別機能が得られる。また、偏光層１０１と画像形成層１０２の位置合わせにノウハウが必要であるので、立体画像の再現が困難であり、高い耐偽造性が得られる。また、左右の画像は、画像形成層１０２に形成されるので、構成が簡素化され低コストで得ることができる。
【００５４】
また、識別媒体１００を斜めに傾けて観察しても左右の像を分離して視認する機能が維持されるので、観察される画像の立体感が損なわれない。このため、広い角度範囲で識別機能が得られる。
【００５５】
（２）第２の実施形態
図６には、識別媒体２００が示されている。識別媒体２００は、図１の識別媒体１００において、画像形成層１０２とアルミ蒸着層１０３の間に蛍光インク層１６０を付加したものである。識別媒体２００において、他の符号部分は、識別媒体１００と同じである。蛍光インク層１６０は、紫外光に対して蛍光する蛍光インクを画像形成層１０２の下面側の全面に一様に印刷した層である。
【００５６】
識別媒体２００を自然光の下で観察した場合は、識別媒体１００と同様な光学機能が得られる。そして識別媒体２００に紫外光（ブラックライト）が照射された状態で識別媒体２００を観察すると、蛍光インク層１６０が特定の色（例えば青）に蛍光し、観察されるホログラム像が青に着色されて見える。この構成によれば、紫外光の照射を行うことで、着色された立体画像が浮かび上がって見える潜像効果が得られる。
【００５７】
蛍光インク層１６０は、画像形成層１０２の上側（観察面側）にあってもよい。この場合も同様な光学機能が得られる。また、蛍光インク層１６０の蛍光色を複数色とし、より多彩な色彩が潜像効果で現れるようにしてもよい。
【００５８】
蛍光インク層１６０をパターン化し、蛍光インクによる図柄を形成してもよい。この場合、特定波長の光を当てると、蛍光色の図柄が観察される視覚効果が得られる。
【００５９】
（３）第３の実施形態
図７には、識別媒体３００が示されている。識別媒体３００は、図６の識別媒体２００において、蛍光インク層に左右の目用の画像を形成した例である。識別媒体３００において、他の符号部分は、識別媒体１００と同じである。
【００６０】
識別媒体３００は、アルミ蒸着層１０３と画像形成層１０２との間に蛍光図柄層１７０を備えている。蛍光図柄層１７０は、第１の部分１１１（右目用のホログラム１３１）に対応した位置に右目用蛍光像領域１７１が設けられている。右目用蛍光像領域１７１は、右目用の蛍光画像を細切にしたものを、間隔を空けてストライプ状に配置したもので、蛍光インクを用いた印刷により形成されている。
【００６１】
左目用蛍光像領域１７２は、左目用の蛍光画像を細切にしたものを、間隔を空けてストライプ状に配置したもので、蛍光インクを用いた印刷により形成されている。右目用蛍光像領域１７１と左目用蛍光像領域１７２とは、交互に繰り返し配置されたストライプパターンを構成している。
【００６２】
識別媒体３００では、立体像として、画像形成層１０２に設けられた画像と蛍光図柄層１７０に設けられた画像とが重なったものが視認される。また、蛍光図柄層１７０の立体像は、蛍光を生じさせる光（例えば紫外光）を照射した環境下においてのみ見える。なお、蛍光図柄層１７０は、画像形成層１０２と偏光層１０１の間に配置することもできる。
【００６３】
（４）第４の実施形態
図８には、識別媒体４００が示されている。識別媒体４００は、図７の識別媒体３００における画像形成層１０２を取り去った構造を有している。なお、ここでは、既に説明した符号の部分の説明は省略する。以下、識別媒体４００において、右目の前に右円偏光フィルタを配置し、左目の前に左円偏光フィルタを配置した状態において、紫外光が当たる環境下で識別媒体４００を観察する場合を説明する。
【００６４】
この場合、右目が右目用蛍光像領域１７１から第１の部分１１１を透過してきた光を選択的に視認する。これは、第１の部分１１１が、観察面側に向かって右円偏光を選択的に透過する光学機能を有しているので、第１の部分１１１を透過した光（右円偏光）は、左円偏光フィルタで遮断されて左目で見えず、右円偏光フィルタを透過して右目だけで見えるからである。
【００６５】
また、左目が左目用蛍光像領域１７２から第２の部分１１２を透過してきた光を選択的に視認する。これは、第２の部分１１２が、観察面側に向かって左円偏光を選択的に透過する光学機能を有しているので、第２の部分１１２を透過した光（左円偏光）は、右円偏光フィルタで遮断されて右目で見えず、左円偏光フィルタを透過して左目だけで見えるからである。
【００６６】
こうして、紫外光が当たる環境下において、蛍光色の立体画像が観察される。ここで紫外光の照射を止めると、蛍光が発生せず、蛍光図柄層１７０の図柄は観察できない。これは、識別媒体４００を直視した場合も同じである。このため、自然光下で識別媒体４００を直視した場合に何も見えず、特定波長の光が当たっている環境下で光学ビューアを介して観察すると蛍光色の立体画像が観察される潜像効果が得られる。なおこの構成において、アルミ蒸着層１０３はなくてもよい。この場合、粘着層１０４を透明にすることで、図柄や模様が形成された対象物に貼り付けた際に、自然光下で直視すると、対象物表面の図柄や模様が見える。そして、右目の前に右円偏光フィルタを配置し、左目の前に左円偏光フィルタを配置した状態において、紫外光が当たる環境下で識別媒体４００を観察すると、対象物表面の図柄や模様を背景に、蛍光した立体像が見える。
【００６７】
（５）第５の実施形態
図９には、識別媒体５００が示されている。識別媒体５００において、既に説明した符号の部分は、そこで説明したのと同じである。識別媒体５００は、観察する側から偏光層１０１、ホログラム層１７３、蛍光図柄層１７０、アルミ蒸着層１０３、粘着層１０４と積層された構造を有している。
【００６８】
ホログラム層１７３は、型押し加工によるホログラムが形成されている。このホログラムは、右目用と左目用に分かれておらず、両目で同時に見た際に画像として認識される通常のホログラムである。ホログラム層１７３の下には、蛍光図柄層１７０が配置されている。蛍光図柄層１７０は、第１の部分１１１に対応した右目用蛍光像領域１７１と第２の部分１１２に対応した左目用蛍光像領域１７２を交互に配置したストライプ模様とされている。この点は、図７、図８の場合と同じである。
【００６９】
右目の前に右円偏光フィルタを配置し、左目の前に左円偏光フィルタを配置した状態において、蛍光を発生させる特定波長の光が当たる環境下で識別媒体５００を観察すると、ホログラム層１７３のホログラム像を背景に蛍光色の立体画像が観察される。特定波長の光を消すと、立体画像が消え、ホログラム像だけが見える。また、紫外光を照射していない環境下において、円偏光フィルタを外し、識別媒体５００を直視すると、ホログラム層１７３のホログラム像だけが見える。
【００７０】
（６）第６の実施形態
以上の例示では、左右の円偏光を利用する場合を説明したが、偏光の方向が直交する直線偏光を利用して立体画像を得る構成も可能である。以下、この一例を説明する。図１０には、識別媒体６００が示されている。識別媒体６００は、観察する側から、偏光層２０１、画像形成層１０２、アルミ蒸着層１０３、粘着層１０４と積層された構造を有している。
【００７１】
偏光層２０１は、ストライプ状に第１の直線偏光透過領域２１１と第２の直線偏光透過領域とが交互に繰り返し配置された構造を有している。この構造は、図２の直線偏光層１２２と基本的に同じである。第１の直線偏光透過領域２１１と第２の直線偏光透過領域２１２とは、透過する直線偏光の偏光方向が互いに直交する関係とされている。画像形成層１０２、アルミ蒸着層１０３、粘着層１０４は、図１の識別媒体１００と同じである。
【００７２】
ここで右目１５１の前に直線偏光フィルタ２０２を置き、左目１５２の前に直線偏光フィルタ２０３を置き、識別媒体６００を観察する場合を説明する。この場合、直線偏光フィルタ２０２の偏光方向を第１の直線偏光透過領域２１１の偏光方向に合わせ、直線偏光フィルタ２０３の偏光方向を第２の直線偏光透過領域２１２の偏光方向に合わせる。この際、直線偏光フィルタ２０２と２０３の偏光の方向は直交する。
【００７３】
この状態で識別媒体６００を観察すると、第１の直線偏光透過領域２１１からの光は、直線偏光２０２を透過するが、直線偏光フィルタ２０３で遮断されるため、右目１５１のみで観察される。他方で、第２の直線偏光透過領域２１２からの光は、直線偏光２０３を透過するが、直線偏光フィルタ２０２で遮断されるため、左目１５２のみで観察される。この結果、右目１５１で右目用のホログラム１３１が選択的に視認され、左目１５２で左目用のホログラム１３２が選択的に視認され、立体ホログラム画像が認識される。
【００７４】
識別媒体６００の構成を、識別媒体２００〜５００に適用し、識別媒体２００〜５００において、直交する直線偏光を利用して左右の画像を分離し、立体像を得る構成も可能である。
【００７５】
（７）第７の実施形態
以下、識別媒体を傾け、見る角度を変えると、立体像をあたかも回転させたかのような見え方が得られる識別媒体の例を説明する。図１１には、識別媒体７００が示されている。識別媒体７００は、観察する側から、偏光層１０１、ホログラム層７０２、蛍光層７０３、アルミ蒸着層１０３、粘着層１０４と積層された構造を有している。
【００７６】
偏光層１０１、アルミ蒸着層１０３、粘着層１０４は、図１の識別媒体１００と同じである。ホログラム層７０２は、細長く分割された左右のホログラムパターンを交互にストライプ状に配置した基本構造を有するが、左右のホログラムパターンがそれぞれ３種類あり、３種類のホログラム像が得られる構造とされている。ホログラム層７０２の下には、紫外光で蛍光する蛍光層７０３が設けられている。以下、この３種類のホログラム像について説明する。
【００７７】
図１２には、識別媒体７００が表示する立体画像の対象となる立方体８００が示されている。そして、立方体８００から見て立方体８００を左斜め前の少し上方から見た視点Ｘ１、正面の少し上方から見た視点Ｘ２、右斜め前の少し上方から見た視点Ｘ３が概念的に示されている。図３には、Ｘ１、Ｘ２、Ｘ３の各視点から見た立方体８００の観察される立体像が概念的に示されている。識別媒体７００は、これらＸ１、Ｘ２、Ｘ３の画像をホログラム立体像として表示する。
【００７８】
識別媒体７００のホログラム層７０２には、Ｘ１〜Ｘ３の各視点から見た立体像が、左右の目用の画像に分離され、更にそれが細く分割されて配置されている。詳しく述べると、偏光層１０１の交互に繰り返し配置された第１の部分１１１に対応させてＸ１の視点からの右目用のホログラム像のパターン７１１が設けられ、その隣に偏光層１０１の第２の部分１１２に対応させてＸ１の視点からの左目用のホログラム像のパターン７１２が設けられている。
【００７９】
また、ホログラム層７０２には、偏光層１０１の第１の部分１１１に対応させてＸ２の視点からの右目用のホログラム像のパターン７１３が設けられ、その隣に偏光層１０１の第２の部分１１２に対応させてＸ２の視点からの左目用のホログラム像のパターン７１４が設けられている。
【００８０】
また、ホログラム層７０２には、偏光層１０１の第１の部分１１１に対応させてＸ３の視点からの右目用のホログラム像のパターン７１５が設けられ、その隣に偏光層１０１の第２の部分１１２に対応させてＸ３の視点からの左目用のホログラム像のパターン７１６が設けられている。
【００８１】
右目用のホログラムパターン７１１と左目用のホログラムパターン７１２とで合成される立体画像は、識別媒体７００を左斜め前の方向から見た際に、図１３（Ａ）の立体画像が観察されるホログラムとされている。同様に、右目用のホログラムパターン７１３と左目用のホログラムパターン７１４とで合成される立体画像は、識別媒体７００を正面の方向から見た場合に、図１３（Ｂ）の立体画像が観察されるホログラムとされている。同様に、右目用のホログラムパターン７１５と左目用のホログラムパターン７１６とで合成される立体画像は、識別媒体７００を右斜め前の方向から見た場合に、図１３（Ｃ）の立体画像が観察されるホログラムとされている。
【００８２】
図１４には、右目１５１の前に右円偏光フィルタ１５３を配置し、左目１５２の前に左円偏光フィルタ１５４を配置した状態で識別媒体７００を傾け、見る角度を変化させた状態が示されている。ここで、見る角度は、識別媒体７００の光軸（この場合は、正面方向）と視線とのなす角度であり、図１４には、θで示されている。
【００８３】
図１４の場合、識別媒体７００を識別媒体７００の斜め左前方から見る状態となる。この場合、図１２の視点Ｘ１から観察した場合に相当する図１３（Ａ）の立体像が観察される。この際、右目用のホログラムパターン７１１からの光が第１の領域１１１を透過して右円偏光となり、右円偏光フィルタ１５３を透過して、右目１５１に視認される。この光は、右円偏光であるので、左円偏光フィルタ１５４で遮断され、左目１５２には届かない。
【００８４】
一方、左目用のホログラムパターン７１２からの光は、第２の領域１１２を透過して左円偏光となり、左円偏光フィルタ１５４を透過して、左目１５２に視認される。この光は、左円偏光であるので、右円偏光フィルタ１５３で遮断され、右目１５１には届かない。また、この状態において、右目用のホログラムパターン７１３および７１５、左目用のホログラムパターン７１４および７１６からの光（干渉光）は、右目１５１、左目１５２の位置では結像しないので、これらホログラムパターンのホログラム像は視認できない。
【００８５】
こうして、図１４の状態での観察において、図１３（Ａ）の立体像が観察される。同様な原理により、図１４において、θ＝０°とすると、右目用のホログラムパターン７１３が右目１５１で選択的に見え、左目用のホログラムパターン７１４が左目１５２で選択的に見えるので、図１３（Ｂ）の立体像が観察される。この際、Ｘ１とＸ３からの視点の像は、観察者側の位置では結像しないので視認されない。図１４と逆の方向に識別媒体を傾けると、右目用のホログラムパターン７１５が右目１５１で選択的に見え、左目用のホログラムパターン７１６が左目１５２で選択的に見えるので、図１３（Ｃ）の立体像が観察される。この際、Ｘ１とＸ２からの視点の像は、観察者の位置では結像しないので視認されない。
【００８６】
そして、紫外光が当たる環境下では、図１３に示す立体像が、蛍光層７０３の蛍光色に着色された状態で観察される。また、右円偏光フィルタ１５３と左円偏光フィルタ１５４を外すと、各視点において、２重にぶれた像が観察される。
【００８７】
この例では、３方向の見る角度からの立体像を観察できる仕様を説明したが、見る角度の数を増やす（視点の数を増やす）ことで、見る角度の変化に従って、より滑らかに立体像を回転させたかのような見え方、あるいは立体物の回りを回転しながら観察を行ったかのような見え方を示す識別媒体が得られる。
【００８８】
この例では、見る角度の変更に伴い、立体像が回転するかのような見え方を示す例を示したが、見る角度を変更すると、全く異なる立体画像に切り替わる構成も可能である。これは、第１の視点では第１の画像が現れ、第２の視点では第２の画像が現れ、・・・となるようにホログラム像を構成することで実現される。
【００８９】
（その他）
図１の識別媒体１００において、画像形成層１０２に蛍光顔料を含有させ、特定波長の光を照射した際に画像形成層１０２自体が蛍光する構成としてもよい。この場合、特定波長の光が当たっている環境下において、蛍光色を示す立体ホログラム像を観察することができる。
【００９０】
第１の部分と第２の部分とが周期的に繰り返されたパターンとしては、ストライプパターンの他に格子パターン（チェックパターン、市松模様）を挙げることができる。また、蛍光インクと通常のインクを組み合わせて用いることもできる。この場合、特定波長の光を照射せずに蛍光させない場合に不完全であった図柄（通常インクによる図柄）が、特定波長の光を照射することで、完成された図柄として視認できる光学特性が得られる。また、蛍光インクの代わりに通常のインクのみを用いてもよい。
【００９１】
右偏光の役割と左円偏光の役割を入れ替えても良い。この場合、それに対応して右目用の画像と左目用の画像の役割も入れ替える。
【００９２】
図２、図３には、縦に画像を分割し、左右方向に一つ置きに右目用の縦方向に延在する細切れ画像、左目用の縦方向に延在する細切れ画像を配置する例が示されているが、横縞模様に画像を分割し、上下方向に一つ置きに右目用の横方向に延在する細切れ画像、左目用の横方向に延在する細切れ画像を配置し、偏光フィルタによって左右で視認する像を分離することで、同様な立体画像認識を行うことができる。同様な理屈により、斜め方向に延在する細切れ画像により、右目用の画像と左目用の画像を構成することもできる。つまり、ストライプの方向は限定されない。
【００９３】
同様のことは、上述した格子パターンの場合や図１４の構成の場合にもいえる。すなわち、重要なのは、交互に繰り返される第１のパターンと第２のパターンを有し、第１のパターンにより一方の目用の画像を構成し、第２のパターンにより他方の目用の画像を構成し、それらを偏光フィルタによって分離して左右の目で見るようにすることである。よって、第１のパターンと第２のパターンが繰り返される方向は限定されない。
【００９４】
また、図１４に示す構成において、識別媒体７００を上下に傾けると、視点を上下方向に変えた場合のような立体像の切り替わり（あるいは別の立体像への切り替わり）が視認できる構成も可能である。この場合、上下方向における第１の見る角度で第１の左目用ホログラム像が左目で選択的に視認され、同時に第１の右目用ホログラム像が右目で選択的に視認されるようにホログラム像の結像の位置に留意したホログラム加工を施す。また上下方向における第２の見る角度で第２の左目用ホログラム像が左目で選択的に視認され、同時に第２の右目用ホログラム像が右目で選択的に視認されるようにホログラム像の結像の位置に留意したホログラム加工を施す。こうすることで、偏光フィルタを介した観察において、上下方向に傾けた場合の第１の見る角度で第１の縦ストライプで構成される第１のホログラム立体像が視認され、第２の見る角度で第２の縦ストライプで構成される第２のホログラム立体像が視認される。ただし、この場合、第１の画像と第２の画像は縦方向にとびとびに存在するので、見る角度毎の画像の種類を増やすと、識別媒体の表示面における特定の画像を構成するホログラム加工部分が占める面積が小さくなり、明度や解像度の点で注意が必要である。
【産業上の利用可能性】
【００９５】
本発明は、真贋の識別を行うための技術に利用することができる。
【符号の説明】
【００９６】
１００…識別媒体、１０１…偏光層、１０２…画像形成層、１０３…アルミ蒸着層、１０４…粘着層、１１１…観察する側に向かって右円偏光を選択的に透過する第１の部分、１１２…観察する側に向かって左円偏光を選択的に透過する第２の部分、１１３…λ／４板、１２２…直線偏光層、１２３…第１の直線偏光領域、１２４…第２の直線変更領域、１３１…右目用のホログラム、１３２…左目用のホログラム、１５１…右目、１５１…左目、１５３…右円偏光フィルタ、１５４…左円偏光フィルタ、１７０…蛍光図柄層、１７１…右目用蛍光像領域、１７２…左目用蛍光像領域。
【図１】
0005580082.tif 000002
【図２】
0005580082.tif 000003
【図３】
0005580082.tif 000004
【図４】
0005580082.tif 000005
【図５】
0005580082.tif 000006
【図６】
0005580082.tif 000007
【図７】
0005580082.tif 000008
【図８】
0005580082.tif 000009
【図９】
0005580082.tif 000010
【図１０】
0005580082.tif 000011
【図１１】
0005580082.tif 000012
【図１２】
0005580082.tif 000013
【図１３】
0005580082.tif 000014
【図１４】
0005580082.tif 000015